(57)【要約】【課題】  オーディオミキサの入力チャンネル毎の各ミキシングバスへ送出する信号の種類の設定状態及びそれらの入力レベルの設定状態を、全ての入力チャンネルについて視覚的に容易に且つ直感的に確認できるようにする。【解決手段】  オーディオミキサの或る入力チャンネル３０には、複数のミキシングバスＢ１〜Ｂ２４の各々に対して送出される入力信号の各送出レベルを、該複数のミキシングバスの全てについて一覧表示するバスセンドレベル表示領域３１が備わり、バスセンドレベル表示領域３１には、各ミキシングバスＢ１〜Ｂ２４の送出レベルを表す帯状表示物３２が表示される。各帯状表示物３２の表示態様は、各ミキシングバスＢ１〜Ｂ２４に送出された入力信号の種類（プリフェーダ信号及びポストフェーダ信号のいずれか）に応じて、例えば表示色を変更する等、可変制御される。【選択図】  図３
2005223603.tif 000002
【特許請求の範囲】
【請求項１】
オーディオミキサに適用するパラメータ表示装置であって、
或る１つの入力チャンネルから複数のミキシングバスの各々に対して送出される入力信号の各送出レベルを該複数のミキシングバスについて一覧表示する表示手段と、
前記複数のミキシングバスの各々に対して送出される前記入力信号の種類に応じて、前記表示手段における各ミキシングバス毎の送出レベルの表示態様を変更する表示制御手段と
を備えるパラメータ表示装置。
【請求項２】
前記表示手段は、複数の前記入力チャンネルの各々から前記複数のミキシングバスの各々に対して送出される各入力信号の各送出レベルを、該複数の入力チャンネルについて一覧表示するものである請求項１に記載のパラメータ表示装置。
【請求項３】
コンピュータ上でのオーディミキシング処理に際して起動するパラメータ表示用のプログラムであって、
コンピュータに、
或る１つの入力チャンネルから複数のミキシングバスの各々に対して送出される入力信号の各送出レベルを該複数のミキシングバスについて一覧表示する手順と、
前記複数のミキシングバスの各々に対して送出される前記入力信号の種類に応じて、各バスライン毎の送出レベルの表示態様を変更する手順と
を含む処理を実行させるプログラム。
【発明の詳細な説明】
【技術分野】
【０００１】
この発明は、ミキサの入力チャンネル毎のパラメータの設定状態を表示するためのパラメータ表示装置及びミキサの入力チャンネル毎のパラメータ表示を実行するためのプログラムに関する。
【背景技術】
【０００２】
従来から知られるディジタルオーディオミキサは、大別して、ミキシング処理すべき複数の入力信号（オーディオ信号）に対する信号処理を実行するディジタル信号処理装置（ＤＳＰ：ディジタルシグナルプロセッサ）と、操作者が該ＤＳＰにおける信号処理に関する各種操作を行うための操作部（コンソール）とからなる。操作者は、前記操作部における各種操作子を操作して、複数の入力チャンネルに入力された各入力信号に対する各種パラメータの設定を各入力チャンネル毎に行う。
複数の入力チャンネルの各々に対応する入力チャンネル制御回路（ＤＳＰ回路）では、各入力チャンネルの入力信号に対して、該操作部において行われた各種パラメータの設定に応じた信号処理を施す。そして、前記入力チャンネル制御回路によって適宜信号処理された信号がミキシングバスに送出され、ミキサ回路でミックスされる。前記入力チャンネル制御回路において、入力信号に対して行われる信号処理は、例えば、各種エフェクト付与処理（イコライザ、ゲート、コンプレッサ等）や、音量制御（フェーダ）等である。
【０００３】
一般に、オーディオミキサには前記ミキシングバスは複数系統具わっており、複数の入力チャンネルの各々は該複数系統のミキシングバスの全てに対して接続されている。すなわち、各入力チャンネルの入力信号を、該複数系統のミキシングバスのいずれに対しても送出しうるようになっている。操作者は、或る入力チャンネルの入力信号をどの系統のミキシングバスに対して送出するかを、操作部上の所定の操作子を用いて、各チャンネル毎に任意に選択することができる。
【０００４】
このとき、操作者は、複数のミキシングバスの夫々に対して入力する信号について、前記入力チャンネルにおいて音量制御を施す前の信号（プリフェーダ信号）を送出するのか、或いは、音量制御を施した後の信号（ポストフェーダ信号）を送出するのかについての設定（信号種類の設定）を行うことができ、また、ミキシングバスへ信号を入力する際の入力レベル（いわゆるバスセンドレベル）の設定を、信号が入力されるバス毎に個別に行うことができる。
ところで、ミキサの操作パネル上では面積の制限があるため、全ての入力チャンネルにおける各ミキシングバスに対する信号送出時の信号種類並びに入力レベルの設定を同時に表示することはできなかった。従来のミキサでは、任意の入力チャンネルを１つ選択し、該選択された入力チャンネルにおける詳細な設定を別セクションに個別に展開することによって、或る１つの入力チャンネルから各ミキシングバスに対して送出された信号の種類と、各ミキシングバスに対する信号の入力レベル（バスセンドレベル）の設定を表示していた。
【０００５】
本出願人が発売するミキサ（製品名「ＰＭ１Ｄ」）は、ミキサに外部接続したパーソナルコンピュータにおいてミキサ制御用のソフトウェアプログラム（以下、制御ソフトと略称する）を起動することで、パーソナルコンピュータから該ミキサの全体的動作を制御することができる。操作者は、コンピュータに備わるディスプレイ上に表示された編集操作（ミキシング操作）用の表示画面（ウィンドウ）から、マウス等適宜のポインティング・デバイスを用いて、種々のパラメータを設定し、ミキサにおいて該パラメータ設定に基づく信号処理を実行することができた（例えば下記非特許文献１参照）。
前記パーソナルコンピュータのディスプレイ上の表示画面においては、ミキサの全ての入力チャンネルに対応する仮想的なチャンネルストリップを同一表示画面内に表示することができた。すなわち、或る１つの表示画面内に、全ての入力チャンネルの信号についてのミキシングバスへの入力レベル（バスセンドレベル）を表示することが可能となっていた。
【非特許文献１】http://www2.yamaha.co.jp/manual/pdf/pa/japan/mixers/PM1D_ManagerJ.pdf
【０００６】
しかしながら、上記制御ソフトの実行による表示画面（ウィンドウ）においても、各ミキシングバスへの入力信号の種類(つまり、プリフェーダ信号かポストフェーダ信号か)の設定状態までについては表示できなかった。表示画面上で各ミキシングバスへの入力信号の種類の設定状態を確認するには、確認したい１つの入力チャンネルを選択して、該選択された入力チャンネルについて詳細なパラメータ設定を行なうための別の表示画面（ウィンドウ）を立ち上げ、該別の表示画面に、選択された入力チャンネルの詳細なパラメータ設定を表示させることで、各ミキシングバスへの入力信号の種類の設定、並びに、信号種類の設定状態の表示が行われていた。従って、従来の技術では、各入力チャンネルにおいてミキシングバスへ送出する信号の種類の設定する操作、並びに、その設定状態を確認する手順が煩雑であり、時間がかかっていた、という不都合あった。また、ミキシングバスへ入力する信号の信号種類の設定状態は、選択された入力チャンネルについてのみ別の表示画面に展開表示されていただけであったため、操作者は、該信号種類の設定を全ての入力チャンネルについて同時に確認することができなかった。
【発明の開示】
【発明が解決しようとする課題】
【０００７】
この発明は上述の点に鑑みてなされたもので、入力チャンネル毎の各ミキシングバスへ送出する信号の種類の設定状態及びそれらの入力レベルの設定状態を、全ての入力チャンネルについて視覚的に容易に且つ直感的に確認できるようにすることを目的とする。
【課題を解決するための手段】
【０００８】
この発明は、オーディオミキサに適用するパラメータ表示装置であって、或る１つの入力チャンネルから複数のミキシングバスの各々に対して送出される入力信号の各送出レベルを該複数のミキシングバスについて一覧表示する表示手段と、前記複数のミキシングバスの各々に対して送出される前記入力信号の種類に応じて、前記表示手段における各ミキシングバス毎の送出レベルの表示態様を変更する表示制御手段とを備えるパラメータ表示装置である。
【発明の効果】
【０００９】
これによれば、表示手段は、或る１つの入力チャンネルから複数のミキシングバスの各々に対して送出される入力信号の各送出レベルを該複数のミキシングバスについて一覧表示し、表示制御手段は、前記複数のミキシングバスの各々に対して送出される前記入力信号の種類に応じて、前記表示手段における各ミキシングバス毎の送出レベルの表示態様を変更するよう表示制御を行う。表示手段において一覧表示された複数のミキシングバスについての入力信号の各送出レベルは、信号の種類に応じて、その表示態様が変更制御される。従って、操作者は、入力チャンネルからミキシングバスへ送出した信号の種類（つまり、プリフェーダ信号かポストフェーダ信号か）を、信号の送出レベルの表示態様に基づき視覚的に容易に確認することができる。表示態様の変更は、例えば、プリフェーダ信号とポストフェーダ信号とで表示色を替えるようにするとよい。また、各入力チャンネルについて複数のミキシングバスへの送出レベルが一覧表示されたものを、更に、複数入力チャンネル分一覧表示することで、全ての入力チャンネルについて、各ミキシングバスへ送出する信号の送出レベルとその信号の種類の設定状態を同時に確認できるようになるという優れた効果を奏する。
【発明を実施するための最良の形態】
【００１０】
以下添付図面を参照して、この発明の一実施例について説明する。
図１は、この発明に係るオーディオミキサと該ミキサを制御するパーソナルコンピュータとからなるミキサシステムのハードウェア構成を示すブロック図である。この実施例に係るミキサシステムは、図１に示すように、オーディオミキサ１０（以下、単にミキサと略称する）と、該ミキサ１０に対して外部接続されたパーソナルコンピュータ２０からなる。パーソナルコンピュータ２０は、ＣＰＵ２１、ＲＯＭ２２、ＲＡＭ２３、通信インターフェース（通信Ｉ／Ｆ）２４、操作子検出回路２５及び表示制御回路２６を含み、各装置間が通信バス２７を介して接続される。
【００１１】
ミキサ１０は、通信インターフェース２４を介して前記パーソナルコンピュータ２０に接続されており、両者の間でデータの送受信が可能である。ミキサ１０は、音量フェーダやスイッチ等の操作子群を含む操作部（コンソール）と、入力された信号に対する信号処理を実行するための信号処理装置（ＤＳＰ）とを含んで構成され、ミキシング処理すべき入力信号（ディジタルオーディオ信号）に対する信号処理は、専ら当該ミキサ１０において行われる。
【００１２】
図２は、ミキサ１０の入力チャンネル部分の要部を抽出して示す概略ブロック図である。図２を参照してミキサ１０の基本的な動作について説明すると、所定の複数の入力端子１１から入力された複数種の入力信号（ディジタルオーディオ信号）は、先ず、所定の複数の入力チャンネル（この実施例では説明の便宜上２４個とする）毎の入力制御回路（信号処理回路）ｃｈ１〜ｃｈ２４に任意に割り当てて入力される。操作部（コンソール）には、各入力チャンネル１〜ｃｈ２４の入力信号に対する音量制御（フェーダ）操作子や、各種エフェクトの設定を行うための操作子等、ミキシング操作を行うための各種操作子が多数配設されており、操作者は、入力制御回路（信号処理回路）ｃｈ１〜ｃｈ２４で行うべき信号処理のパラメータ設定を、操作部（コンソール）から指示しうる。各入力制御回路ｃｈ１〜ｃｈ２４は、夫々、当該ミキサ１０に備わる複数系統（この例では説明の便宜上２４系統）のミキシングバスＢ１〜Ｂ２４の全てに対して接続されており、各入力制御回路ｃｈ１〜ｃｈ２４の各入力信号は、複数のミキシングバスＢ１〜Ｂ２４のいずれに対しても送出されうる。
【００１３】
各入力制御回路ｃｈ１〜ｃｈ２４は、操作部からの指示に基づき、イコライザ、ゲート、コンプレッサ或いはディレイ等の各種効果付与するための効果付与回路を有し、また、該効果付与回路を経て信号処理された信号に対して音量制御（フェーダ制御）するための音量制御部を有する。また、各入力制御回路ｃｈ１〜ｃｈ２４には、ミキシングバスＢ１〜Ｂ２４に対して送出する信号として、前記音量制御部に供給される前の信号（以下これをプリフェーダ信号という）及び該音量制御部を介してフェーダ制御が行われた後の信号（以下これをポストフェーダ信号という）のいずれを出力するのか選択するためのスイッチ（「ＰＲＥ／ＰＯＳＴ切り替えスイッチ」）が、各ミキシングバスＢ１〜Ｂ２４に夫々対応して設けられている。すなわち、前記効果付与回路を経て信号処理された信号は、一方でプリフェーダ信号として、各ミキシングバスＢ１〜Ｂ２４に対応するＰＲＥ／ＰＯＳＴ切り替えスイッチに並行に供給され、他方で、音量制御部を介してフェーダ制御が行われた後にポストフェーダ信号として、各ＰＲＥ／ＰＯＳＴ切り替えスイッチに並行に供給される。操作者は、各ミキシングバス毎のＰＲＥ／ＰＯＳＴ切り替えスイッチを操作して、各ミキシングバス毎にプリフェーダ信号及びポストフェーダ信号のいずれを送出するのかを選択する。各ミキシングバスに対応するＰＲＥ／ＰＯＳＴ切り替えスイッチの後段には、各ミキシングバス毎に信号の送出オン／オフを切り替えるためのスイッチが夫々備わっており、ミキシングバスに対する信号送出のオン／オフを各ミキシングバスＢ１〜Ｂ２４毎に個別に設定できる。また、前記信号の送出オン／オフの切り替えスイッチの各々の後段には、ミキシングバスへの信号の入力レベル（いわゆるバスセンドレベル）を設定するためのスイッチが夫々備わり、各ミキシングバスＢ１〜Ｂ２４毎に送出される信号の振幅レベルを調整できる。なお、ポストフェーダ信号は、パン設定部に供給され適宜の音像定位が付与されてから、図示しないステレオバスへ送出されうる。
こうして、各入力制御回路ｃｈ１〜ｃｈ２４から複数のミキシングバスＢ１〜Ｂ２４に対して選択的に送出された信号は、操作部からの指示に基づき、適宜ミキシング処理され所定の複数の出力系へミキシング出力として出力される。なおこの明細書中では、上記プリフェーダ信号とポストフェーダ信号の区別を指して、「信号の種類」という。
【００１４】
図１に戻ると、ＣＰＵ２１は、ＲＯＭ２２或いはＲＡＭ２３に記憶にされた各種制御プログラムを実行し、当該パーソナルコンピュータ２０の動作を制御する。ＲＯＭ２２には、外部接続されたミキサ１０を制御するためのソフトウェアプログラム（以下、制御ソフトと略称する）が記憶されており、この制御ソフトを実行することで、当該パーソナルコンピュータ２０から、ミキサ１０の全体的な動作を制御することや、ミキサ１０における信号処理に関する各種パラメータを設定すること等ができる。この制御ソフトが起動されるパーソナルコンピュータ２０のＲＡＭ２３においては、ミキサ１０において設定されている全てのパラメータの内容を記憶する記憶領域（カレント領域）が設定され、ミキサ１０本体の前記操作部から操作者によってマニュアル設定された各種パラメータの設定データや、或いは、該制御ソフトによってコンピュータ２０上で設定されたミキサ１０の各種パラメータの設定データが、該カレント領域に記憶される。
なお、ＣＰＵ２１により実行される制御プログラムは、ＲＯＭ２２或いはＲＡＭ２３に記憶されたもののみならず、図示しないハードディスクやＣＤ−ＲＯＭ等の外部記憶媒体に記憶されたものを利用すること、あるいは、図示しない通信インターフェースを介して適宜のサーバコンピュータからダウンロードし、図示しないハードディスク装置（ＨＤＤ）等に保存したものを利用することも可能である。この場合、該制御プログラム等は、該プログラムを実行すべき時にＲＡＭ２３に転送されてＣＰＵ２１の制御の下で実行される。これにより、各種プログラムの追加やバージョンアップ等が容易に行える。
【００１５】
操作子検出回路２５には、マウス等のポインティング・デバイスやキーボード等の各種入力操作子群２８が接続され、表示制御回路２６には表示部（ディスプレイ）２９が接続される。表示部２９には、前記制御ソフトで実現される各種機能（ミキサ１０における種々のミキシング操作に対応する機能）に応じた種々の操作画面（ウィンドウ）が表示され、操作者は、各種パラメータ設定や、入力指示等のミキシング操作に関する各種作業の大半を、ＧＵＩによる操作画面上から、操作子群２８に含まれるマウスなどのポインティング・デバイスを用いて行なうことが可能である。
【００１６】
表示部２９に表示される各種操作画面には、ミキサ１０に備わる前記操作部（コンソール）に備わる複数の入力チャンネル（チャンネルストリップ）を模擬した仮想的な入力チャンネル操作画面が含まれる。この入力チャンネル操作画面には、ミキサ１０の複数（この実施例では２４個）の入力チャンネルｃｈ１〜ｃｈ２４に夫々対応する２４個の仮想的入力チャンネル操作部が表示される。図３は、表示部２９に表示される入力チャンネル操作画面の表示例であって、該入力チャンネル操作画面における複数の入力チャンネル部のうちの１つの入力チャンネル部３０を抽出して示す。なお、実際の入力チャンネル操作画面では、全ての入力チャンネルｃｈ１〜ｃｈ２４に対応する複数（この例では２４個）の入力チャンネル部３０が同時に並列して表示されうる。
【００１７】
図３に示すように、入力チャンネル操作画面の入力チャンネル部３０には、対応する入力チャンネルの情報が本体１０の操作部の操作パネルを仮想的に模擬した態様で表示されている。すなわち、１つの入力チャンネルに対応する入力チャンネル部には、音量制御用のフェーダ操作子を示すアイコン、ダイヤル式のパン設定操作子を示すアイコン、或いは、各種エフェクト（イコライザ、ゲート、コンプレッサなど）の設定を示すアイコン等によって当該入力チャンネルの信号に対する各種パラメータ設定状態等の各種情報が表示されている。図において符号３１は、この発明に係るバスセンドレベル表示領域であって、ミキシングバスＢ１〜Ｂ２４の夫々に対する当該入力チャンネルの信号の入力レベル（バスセンドレベル）の設定状態、並びに、各ミキシングバスＢ１〜Ｂ２４に送出された信号の「信号の種類」、つまり、ミキシングバスに対して送出された信号がプリフェーダ信号であるかポストフェーダ信号であるかについてが、全てのミキシングバスＢ１〜Ｂ２４について個別且つ同時に表示されている。
【００１８】
バスセンドレベル表示領域３１において、数字「１」〜「２４」は、各ミキシングバスＢ１〜Ｂ２４に夫々対応する番号を示しており、図３において各数字「１」〜「２４」の右手から横長に延びる帯状表示物３２（図において、ミキシングバスＢ１における帯状表示物のみに符号３２を付与する）の長さによって、各ミキシングバスＢ１〜Ｂ２４毎に設定されたバスセンドレベルの大きさを表す。更に、当該ミキシングバスに入力された信号の種類が「プリフェーダ信号」であるか「ポストフェーダ信号」であるかに応じて、バスセンドレベルの大きさを表す帯状表示物３２の表示態様が所定の第１の表示態様及び第２の表示態様のいずれかに切り替わる。操作者は、帯状表示物３２の表示態様によって、各ミキシングバスＢ１〜Ｂ２４毎の信号の種類を識別することができる。一例として、第１の表示態様と第２の表示態様信号とで、バスセンドレベルを示す帯状表示物３２の表示色を異ならせることで、「プリフェーダ信号」と「ポストフェーダ信号」の識別が可能となる。例えば、ミキシングバスに送出された信号が「プリフェーダ信号」であれば、帯状表示物３２を緑色（図では、一例としてミキシングバスＢ１〜Ｂ８がこれに相当するものとし、図示の都合上これを「網掛け」で示す）で表現し、一方、ミキシングバスに送出された信号が「ポストフェーダ信号」であれば、帯状表示物３２を黄色（図では、一例としてミキシングバスＢ９〜Ｂ２４がこれに相当するものとし、図示の都合上これを「斜線」で示す）で表現することができる。
また、図３において、帯状表示物３２が白抜き表示（例えば、ミキシングバスＢ３や、ミキシングバスＢ１０等）されているものは、当該ミキシングバスに対する信号の送出がオフに設定されていることを示している。
【００１９】
上述の通りバスセンドレベル表示領域３１では、各ミキシングバスＢ１〜Ｂ２４における帯状表示物３２の長さによって、入力信号の各ミキシングバスＢ１〜Ｂ２４に対するバスセンドレベルの設定値についての情報が表現され、また、各ミキシングバスＢ１〜Ｂ２４における帯状表示物３２の表示色に応じて入力信号の「信号の種類」についての情報が表現される。このように、信号の種類に応じてバスセンドレベルを示す帯状表示物３２の表示色を変えることで、当該入力チャンネルの信号が、各ミキシングバスＢ１〜Ｂ２４に送出される際の入力レベルと、その信号の種類とが、視覚的に簡明に且つ直感的に認識できるようになる。更に、前述の通り、表示部（ディスプレイ）２９上の入力チャンネル操作画面には、全ての入力チャンネルｃｈ１〜ｃｈ２４に対応する入力チャンネル部を一括して表示することができる。従って、１つの入力チャンネル操作画面上で、全ての入力チャンネルについて、全てのミキシングバスへ送出する信号のバスセンドレベルの設定状態並びにそれら信号の種類の設定状態を一括して同時に表示できるようになる。
【００２０】
表示部２９上の入力チャンネル操作画面において、上記「信号の種類」に応じてバスセンドレベルを表す帯状表示物３２の表示色を変えるための表示制御は、ミキサ１０（図１参照）におけるバスセンドレベルの設定、並びに、「信号の種類」の設定に基づき行われる。前述した通り、ミキサ１０において設定されている全てのパラメータの内容は、パーソナルコンピュータ２０のＲＡＭ２３内の所定の記憶領域「カレント領域」に記憶されており、ＣＰＵ２１は該カレント領域に記憶されているパラメータの設定データに基づき表示部２９上の操作画面の表示態様を制御する。
図４は、前記カレント領域における記憶例を示す図であり、この実施例に係るバスセンドレベルに関するデータの部分のみを抽出して示す。図において「ＣＨｎ（このｎは図において１〜２４のチャンネル番号で示されている）」は入力チャンネルの番号を示し、「ＢＵＳｎ（このｎは図において１〜２４のミキシングバス番号で示されている）」を示す。図５に示すように、カレント領域には、バスセンドレベルに関するデータとして、各入力チャンネル（ＣＨ１〜ＣＨ２４）毎に、ミキシングバス（ＢＵＳ１〜ＢＵＳ２４）の夫々について、バスセンドレベルの設定値のデータと、信号の種類のデータが記憶される。バスセンドレベルのデータは、入力チャンネルからミキシングバスへ信号を送出する際の振幅レベルの調整値を例えば−∞ｄＢ（デシベル）から＋１０ｄＢの範囲で設定するデータである。信号の種類のデータは、図４においては当該信号がプリフェーダ信号であれば、これを文字列「ＰＲＥ」で示し、プリフェーダ信号であれば、これを文字列「ＰＯＳＴ」で示す。一例として、図５に示された文字列「ＣＨ１ＢＵＳ１（ＰＲＥ）（−１０ｄＢ）」は、入力チャンネルｃｈ１のプリフェーダ信号をバスセンドレベルが−１０デシベルになるよう調整してミキシングバスＢ１へ送出する、ということを表す。なお、図においては説明の便宜上、入力チャンネルｃｈ２以降のデータに関しては具体例を明示せずに、バスセンドレベルのデータ及び信号の種類のデータ欄を「ｘｘｘ」としたが、実際には、ここにも上記のようなパラメータの設定データが記憶されている。
【００２１】
なお、カレント記憶領域には、上述のバスセンドレベルに関するデータ以外の、他の全てのパラメータ設定のデータが記憶されているが、説明の便宜上、その図示及び説明は省略する。他のパラメータ設定のデータとしては、例えば各入力チャンネル毎のフェーダ設定値のデータや、各種エフェクト設定データ等があり、これらデータに基づき図３の入力チャンネル操作画面の入力チャンネル部におけるフェーダ操作子の表示位置や、各種エフェクトの設定値情報等の表示が制御される。
【００２２】
図５は、前記カレント領域中に記憶されたパラメータの設定データに基づき、入力チャンネル操作画面の入力チャンネル表示部３０（図３参照）の表示態様を制御する手順の一例について、図５のフローチャートを参照して説明する。ここで、図５のフローチャートで示す処理は、入力チャンネル操作画面を立ち上げる際に（例えば、他の何らかの操作画面から当該入力チャンネル操作画面を新たに表示するよう指示した際等）に起動する処理の一例であって、図においては説明の便宜上、入力チャンネル部３０のうちのバスセンドレベル表示領域３２での表示態様の決定処理を抽出して示している。先ず、ステップＳ１においては、入力チャンネルｃｈ１〜ｃｈ２４のうち番号の若いものから順に、当該表示態様の決定処理の処理対象として設定する。当該処理が起動した１順目では、入力チャンネルｃｈ１を処理対象として定める。ステップＳ２では、当該対象チャンネル（例えば入力チャンネルｃｈ１）について、未処理のミキシングバスＢ１〜Ｂ２４のうち番号の若いものを設定対象のミキシングバスとして、この対象ミキシングバスについて信号の種類の設定データ（ＰＲＥ／ＰＯＳＴ）を読み出す。そして、読み出したデータがプリフェーダ信号設定データ（ＰＲＥ）であれば（ステップＳ３のＹＥＳ）、ステップＳ４において、当該対象チャンネル（ｃｈ１）の対象ミキシングバスにおけるバスセンドレベルの表示態様（図３において符号３２で示す帯状表示物の表示態様）を第１の表示態様（例えば緑色に表示）に決定する。他方、読み出したデータがポストフェーダ信号設定データ（ＰＯＳＴ）であれば（ステップＳ３のＮＯ）、ステップＳ５において、当該対象チャンネル（ｃｈ１）の対象ミキシングバスにおけるセンドレベル表示物の表示態様を第２の表示態様（例えば黄色に表示）に決定する。そして、当該対象チャンネルについての全てのミキシングバスについて上記ステップＳ２、Ｓ３、Ｓ４又はＳ２、Ｓ３、Ｓ５の処理を繰り返し行って（ステップＳ６をＮＯに分岐）、該対象チャンネルの全てのミキシングバスＢ１〜Ｂ２４におけるバスセンドレベルの表示態様（この例では表示色）を決定する。こうしてある１つの対象チャンネルについて全てのバスセンドレベルの表示態様が決定されると、ステップＳ１に処理をリターンし（ステップＳ７をＮＯに分岐）、前回処理対象とした入力チャンネルの次の番号の入チャンネルを順に対象チャンネルとして設定し、上述の処理を繰り返す。これにより、全ての入力チャンネルｃｈ１〜ｃｈ２４の夫々について、全てのミキシングバスＢ１〜Ｂ２４におけるバスセンドレベルの表示態様が決定される。
また、図５のフローチャートでの図示は省略したが、各入力チャンネルｃｈ１〜ｃｈ２４の各ミキシングバスＢ１〜Ｂ２４について、上記信号の種類の設定データ（ＰＲＥ／ＰＯＳＴ）と共に、ミキシングバスに対する信号の送出のオン／オフ設定データを読み出して、各入力チャンネルの各ミキシングバスＢ１〜Ｂ２４毎に、該信号の送出のオン／オフ設定に応じたバスセンドレベルの表示態様を決定する。この例では、ミキシングバスに対する信号の送出のオン／オフ設定に応じて、各バスセンドレベルの表示態様が、色つき表示（オンの場合）及び白抜き表示（オフの場合）のいずれかに決定される（図３参照）。
更に、ステップ８において、カレント領域に記憶された各入力チャンネル毎のフェーダ設定データ等、その他の設定データを読み出し、読み出した各設定データに基づきその他各種パラメータの表示態様を適宜決定した後、ステップＳ９において、上記ステップＳ１〜Ｓ８の処理により決定された表示態様に従って、入力チャンネル操作画面がパーソナルコンピュータ２０の表示部２９上に表示されるよう制御する。
【００２３】
上述の処理によって決定されたバスセンドレベルの表示態様を、例えばミキサ１０を操作する操作者からの指示に応じて、或る入力チャンネルの或るミキシングバスにおいて切り替えすべき場合の処理について、以下に簡単に説明する。ミキサ１０の操作部から或る入力チャンネルの或るミキシングバスについて信号の種類を切り替える操作が行われた場合、或いは、パーソナルコンピュータ２０上で、或る入力チャンネルの或るミキシングバスについて入力される信号の種類を切り替えるべくパラメータ設定が行われた場合、先ず、新規に発生した「信号の種類」の設定データが、プリフェーダ信号を表すデータか、ポストフェーダ信号を表すデータかを判別し、データが表す「信号の種類」に応じて、対象となるバスセンドレベルの表示態様を第１の表示態様又は第２の表示態様のいずれかに決定する。そして、当該チャンネルの当該ミキシングバスについて、カレント領域の記憶内容を、新規の「信号の種類」の設定データに基づき更新すると共に、上記決定された表示態様に従って当該チャンネルの当該ミキシングバスのバスセンドレベルの表示態様を変更するよう制御すればよい。なお、このときに、当該ミキシングバスについてミキシングバスに対する信号の送出のオン／オフ設定についても同様に、表示態様の決定並びに表示態様の変更制御を行うものとする。この処理例をフローチャートで示すと図６のステップＳ１０〜Ｓ１４のようになる。
【００２４】
以上説明したように、この実施例に従えば、各入力チャンネルについての、全てのミキシングバスへ送出する信号のバスセンドレベルの大きさを示す帯状表示物の表示色を、信号の種類（プリフェーダ信号及びポストフェーダ信号の何れか）に応じて変えることで、各ミキシングバスへ送出された信号のバスセンドレベルと、該信号の信号種類の設定状態とを視覚的に簡明且つ直感的に識別できる。また、表示領域を格別に拡張することなく、複数のミキシングバスについてのバスセンドレベルの設定状態とその信号の種類を、１つの入力チャンネル表示部上に一覧表示することが可能となる。このことから、表示部（ディスプレイ）２９上の或る１つの操作画面において、全ての入力チャンネルについて、全てのバスセンドレベルの設定状態とその信号の種類を一括して表示できるようになる。よって、操作者は、全ての入力チャンネルについて、全てのバスセンドレベルの設定状態とその信号の種類を、同一の操作画面（ウィンドウ）上から同時に且つ直感的に確認できる。また、それらのパラメータの設定等も同一の操作画面から行えるようになるので作業手間を軽減することができる。
また、この実施例に示すように、バスセンドレベルの大きさを表す帯状表示物の表示態様（表示色）を信号の種類に応じて異ならせることで、信号種類の判別を可能にした構成は、例えば、バスセンドレベル表示物とは別途に、信号の種類に応じて明滅点灯する識別要素を更に具える方法等に比べて、格別な表示領域の拡張等が不要であるため、情報表示面積の効率的な利用等といった点で有利である。
【００２５】
なお、上述の実施例では、図３に示したように、各ミキシングバスへの信号のバスセンドレベルは、横棒帯状の表示物で表現されていたが、バスセンドレベルの大きさの表示態様はこれに限定されず、各ミキシングバス毎に設定されているセンドレベルが簡単に認識できる形態であって、且つ、信号の種類（プリフェーダ信号及びポストフェーダ信号）に応じた異なる２種類の表示態様が実現できるものであれば、どんなものであってもよい。例えば、バスセンドレベルを数値で表示したり、或いは、 縦棒状に表示したりする等してもよい。
また、上記の実施例においては、信号の種類に応じた異なる２種類の表示態様は、両者の表示色を変えることが実現されていたが、これに限らず、視覚的明瞭且つ容易に、２種類の表示態様を弁別できる方法であればどのようなものであってもよく、例えば、バスセンドレベル表示物の明度を２種類の態様で異ならせたり、或いは、表示柄を２種類で異ならせたりしてもよい。
【図面の簡単な説明】
【００２６】
【図１】この発明の一実施例に係るミキサシステムの全体構成を示すブロック図。
【図２】同実施例に係るミキサの入力チャンネル部の要部を示すブロック図。
【図３】同実施例に係る制御ソフトによる操作画面における１つの入力チャンネル表示部を示す図。
【図４】同実施例に係るカレント記憶領域の記憶例を示す図。
【図５】同実施例に係る信号の種類に応じた表示態様の決定処理例を示すフローチャート。
【図６】同実施例において信号の種類の切り替え時の処理例を示すフローチャート。
【符号の説明】
【００２７】
１０  ミキサ、２０  パーソナルコンピュータ、３０  入力チャンネル表示部、３１  バスセンドレベル表示領域、３２  バスセンドレベル表示用の帯状表示物
【図１】
2005223603.tif 000003
【図２】
2005223603.tif 000004
【図３】
2005223603.tif 000005
【図４】
2005223603.tif 000006
【図５】
2005223603.tif 000007
【図６】
2005223603.tif 000008